(57)【要約】【課題】  複数の面を組み合わせたデジタルサイネージにおいて、複数の面を効率的に利用できるようにする。【解決手段】  画像投影システムであって、所定領域に含まれる複数の面の位置及び大きさに応じて、１の画像を複数の分割画像に分割する分割手段と、前記複数の面それぞれに対応する投影装置を介して、前記複数の分割画像を、前記複数の面に対応する投影面それぞれに投影するよう制御する制御手段と、前記複数の分割画像の投影に関わる不具合の発生を検知する検知手段と、前記検知手段により検知された不具合の種類に基づいて、前記複数の面の投影対象としての利用を継続するか否かを判定する判定手段とを有する。【選択図】図３
2018037836.tif 000002
【特許請求の範囲】
【請求項１】
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに投影するよう制御する制御手段と、
前記複数の分割画像の投影に関わる不具合の発生を検知する検知手段と、
前記検知手段により検知された不具合の種類に基づいて、前記複数の面の投影対象としての利用を継続するか否かを判定する判定手段と
を有することを特徴とする画像投影システム。
【請求項２】
前記検知手段により不具合が検知された場合に、前記制御手段は、前記複数の面に対応する投影面それぞれへの前記複数の分割画像の投影を終了するよう制御することを特徴とする請求項１に記載の画像投影システム。
【請求項３】
前記判定手段が、前記複数の面の投影対象としての利用を継続すると判定した場合に、前記制御手段は、前記検知手段により不具合の発生が検知された前記投影装置を再起動するよう制御することを特徴とする請求項２に記載の画像投影システム。
【請求項４】
前記制御手段は、前記検知手段により不具合が検知された前記投影装置の再起動が完了した場合に、前記複数の分割画像を、前記複数の面に対応する投影面それぞれに投影するよう制御することを特徴とする請求項３に記載の画像投影システム。
【請求項５】
前記判定手段が、前記複数の面の投影対象としての利用を継続しないと判定した場合に、前記制御手段は、前記複数の面それぞれに対応する全ての投影装置の電源をＯＦＦ状態にするよう制御することを特徴とする請求項２に記載の画像投影システム。
【請求項６】
前記判定手段が、前記複数の面の投影対象としての利用を継続しないと判定した場合に、前記制御手段は、前記複数の面それぞれと該複数の面それぞれに対応する投影面とにより形成される光透過面について、透過度を上げるよう制御することを特徴とする請求項２に記載の画像投影システム。
【請求項７】
前記判定手段が、前記複数の面の投影対象としての利用を継続しないと判定した場合に、前記制御手段は、前記複数の面それぞれに対応する電飾装置の電源をＯＮ状態にするよう制御することを特徴とする請求項２に記載の画像投影システム。
【請求項８】
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに投影するよう制御する制御手段と、
前記複数の分割画像の投影に関わる不具合の発生を検知した場合に、該不具合の種類に基づいて、前記複数の面の投影対象としての利用を継続するか否かを判定する判定手段と
を有することを特徴とする情報処理装置。
【請求項９】
所定領域に含まれる複数の面の位置及び大きさに応じて、１の画像を複数の分割画像に分割する分割工程と、
前記複数の面それぞれに対応する投影装置を介して、前記複数の分割画像を、前記複数の面に対応する投影面それぞれに投影するよう制御する制御工程と、
前記複数の分割画像の投影に関わる不具合の発生を検知した場合に、該不具合の種類に基づいて、前記複数の面の投影対象としての利用を継続するか否かを判定する判定工程と
を有することを特徴とする画像投影方法。
【請求項１０】
所定領域に含まれる複数の面の位置及び大きさに応じて、１の画像を複数の分割画像に分割する分割工程と、
前記複数の面それぞれに対応する投影装置を介して、前記複数の分割画像を、前記複数の面に対応する投影面それぞれに投影するよう制御する制御工程と、
前記複数の分割画像の投影に関わる不具合の発生を検知した場合に、該不具合の種類に基づいて、前記複数の面の投影対象としての利用を継続するか否かを判定する判定工程と
をコンピュータに実行させるためのプログラム。
【発明の詳細な説明】
【技術分野】
【０００１】
本発明は、画像投影システム、情報処理装置、画像投影方法及びプログラムに関する。
【背景技術】
【０００２】
近年、プロジェクタなどの画像投影装置に動画像等のコンテンツを配信し、屋外や店頭、公共空間等に設置された大画面に、当該コンテンツを投影するデジタルサイネージが広く利用されている。デジタルサイネージの場合、時間や場所に適したコンテンツをリアルタイムに投影できるため、高い広告効果が期待できる。
【発明の概要】
【発明が解決しようとする課題】
【０００３】
一方で、上記のような画像投影装置を用いた大規模なデジタルサイネージを実現するためには、投影対象として一定程度の大きさの平坦面が必要となる。このため、画像投影装置を用いたデジタルサイネージの場合、予め大画面を設置しておくか、建物の側壁面等のように、一体的な平面を利用して投影を行う必要があり、適用可能な場所に限りがあるという問題がある。
【０００４】
これに対して、例えば、建物の窓ガラスのような、所定領域に含まれる複数の面を組み合わせて利用することで、１つのデジタルサイネージを実現することができれば、デジタルサイネージの適用範囲を広げることができる。特に、窓ガラス数の多い中高層の建物に適用できれば、従来よりも大規模なデジタルサイネージを実現することができる。
【０００５】
しかしながら、デジタルサイネージの大規模化に伴い画像投影装置の数が増大すると、投影中に不具合が発生する可能性が高まる。
【０００６】
また、窓ガラスを利用してデジタルサイネージを実現する場合、例えば、復旧に時間がかかる不具合が発生した際に、当該窓ガラスの投影対象としての利用を中断し、通常の窓ガラスとしての利用に切り替えるといった、窓ガラスの効率的な利用が求められる。
【０００７】
本発明は、上記課題に鑑みてなされたものであり、複数の面を組み合わせたデジタルサイネージにおいて、複数の面を効率的に利用できるようにすることを目的とする。
【課題を解決するための手段】
【０００８】
本発明の各実施形態に係る画像投影システムは、以下のような構成を有する。即ち、
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに投影するよう制御する制御手段と、
前記複数の分割画像の投影に関わる不具合の発生を検知する検知手段と、
前記検知手段により検知された不具合の種類に基づいて、前記複数の面の投影対象としての利用を継続するか否かを判定する判定手段とを有する。
【発明の効果】
【０００９】
本発明の各実施形態によれば、複数の面を組み合わせたデジタルサイネージにおいて、複数の面を効率的に利用することができるようになる。
【図面の簡単な説明】
【００１０】
【図１】画像投影システムの適用例を示す図である。
【図２】建物の各窓ガラスに対応する位置に配置された各サイネージ装置の動作を説明するための図である。
【図３】画像投影システムのシステム構成の一例を示す図である。
【図４】情報処理装置のハードウェア構成の一例を示す図である。
【図５】サイネージ対象情報の一例を示す図である。
【図６】画像情報の一例を示す図である。
【図７】スケジュール情報の一例を示す図である。
【図８】サイネージ処理の流れを示すフローチャートである。
【図９】情報処理装置の校正部の機能構成を示す図である。
【図１０】第１の校正処理のシーケンス図である。
【図１１】第１の校正処理時に表示される情報処理装置の画面の一例を示す図である。
【図１２】第１の校正処理時に投影される校正パターン画像の一例を示す図である。
【図１３】第１の校正処理時に投影される校正パターン画像の他の一例を示す図である。
【図１４】第２の校正処理のシーケンス図である。
【図１５】第２の校正処理時に投影される白画像の一例を示す図である。
【図１６】情報処理装置の画像処理部の機能構成を示す図である。
【図１７】画像処理の具体例を示す図である。
【図１８】画像処理の流れを示すフローチャートである。
【図１９】第１分割処理の流れを示すフローチャートである。
【図２０】第１分割処理の一例を示す図である。
【図２１】情報処理装置のサイネージ制御部の機能構成を示す図である。
【図２２】サイネージ制御処理の流れを示すフローチャートである。
【図２３】開始制御処理及び終了制御処理の詳細なフローチャートである。
【図２４】自動復旧処理及び切り替え処理の具体例を示す図である。
【図２５】監視装置の機能構成の一例を示す図である。
【図２６】監視対象管理情報の一例を示す図である。
【図２７】監視処理の流れを示すフローチャートである。
【発明を実施するための形態】
【００１１】
以下、各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１２】
［第１の実施形態］
＜１．画像投影システムの適用例＞
はじめに、第１の実施形態に係る画像投影システムの適用例について説明する。図１は、画像投影システムの適用例を示す図である。図１の例は、中層のビルである建物１１０の外面に取り付けられた複数の窓ガラス（面）を組み合わせて利用することで、大規模なデジタルサイネージを実現した様子を示している。
【００１３】
図１に示すように、建物１１０の道路側の外面には、複数の窓ガラス（窓ガラス群１２０）が取り付けられている（図１の例では、３０枚の窓ガラス）。第１の実施形態に係る画像投影システムでは、建物１１０の外面に取り付けられた複数の窓ガラス（窓ガラス群１２０）それぞれに対して、内側から投影用動画像群１３０に含まれる各投影用動画像を投影する。
【００１４】
これにより、第１の実施形態に係る画像投影システムによれば、窓ガラス３０枚分の領域からなる、大規模なデジタルサイネージ（図１の例は、巨大なツリーが表示されたシーンを示している）を実現することができる。また、道路側の外面等のように比較的目立つ場所において、デジタルサイネージを実現することができる。つまり、広告効果の高いデジタルサイネージを実現することができる。
【００１５】
また、第１の実施形態に係る画像投影システムによれば、従来のように、予め設置されている大画面や、窓ガラスのない建物の側壁面等を利用するデジタルサイネージと比較して、デジタルサイネージの適用範囲を広げることができる。
【００１６】
加えて、第１の実施形態に係る画像投影システムでは、複数の窓ガラスを、投影用動画像群１３０を投影する際に投影対象として利用し、投影用動画像群１３０を投影しない場合には、通常の窓ガラスとして利用する。また、投影用動画像群１３０の投影に関わる不具合として、復旧に時間のかかる不具合が発生した場合に、投影対象としての利用を直ちに中断し、通常の窓ガラスとしての利用に切り替える。
【００１７】
これにより、第１の実施形態に係る画像投影システムによれば、複数の窓ガラスを効率的に利用することができるようになる。
【００１８】
＜２．サイネージ装置の動作＞
次に、第１の実施形態に係る画像投影システムを構成する各サイネージ装置（本実施形態では、プロジェクタ（投影装置）、電動スクリーン（投影面）、電飾装置を指すものとする）の動作について説明する。
【００１９】
図２は、建物の各窓ガラスに対応する位置に配置された各サイネージ装置の動作を説明するための図である。図２（Ａ）の（ａ）〜（ｄ）は、建物１１０の各窓ガラスの内側に配置された各サイネージ装置のうち、プロジェクタ及び電動スクリーンの動作を示している。
【００２０】
図２（Ａ）の（ａ）に示すように、建物１１０の各窓ガラスの内側には、プロジェクタが上下に配置されており、１枚の窓ガラスに対して、２台のプロジェクタ（上側プロジェクタ及び下側プロジェクタ）を用いて投影用動画像が投影される。これにより、窓ガラスのサイズが大きい場合でも適切な投影用動画像を投影することができる。
【００２１】
また、図２（Ａ）の（ｂ）に示すように、建物１１０の各窓ガラスの内側には、電動スクリーンが配置されている。プロジェクタを用いて投影用動画像を投影するにあたっては、電動スクリーンをＯＮ状態にすることで光透過度を変化させ、各窓ガラスを半透明の状態にする。なお、電動スクリーン（投影面）は、窓ガラス（投影対象）とともに光透過面を形成する。
【００２２】
図２（Ａ）の（ｃ）は、電動スクリーンをＯＮ状態にした後に、上側プロジェクタ及び下側プロジェクタのランプをＯＮ状態にした様子を示している。上側プロジェクタは、窓ガラスの上側を投影範囲とし、下側プロジェクタは、窓ガラスの下側を投影範囲としている。なお、上側プロジェクタ及び下側プロジェクタは、それぞれ、投影範囲の一部が重複するように調整されている。つまり、本実施形態では、２台のプロジェクタにより、窓ガラスの大きさに応じた投影範囲への投影用動画像の投影を実現している。
【００２３】
図２（Ａ）の（ｄ）は、上側プロジェクタ及び下側プロジェクタにより、投影用動画像が投影された様子を示している。本実施形態に係る画像投影システムでは、窓ガラス群１２０に含まれる各窓ガラスそれぞれに対応する各電動スクリーンそれぞれに投影用動画像が投影されることで、全体として、１つのデジタルサイネージを実現する。このため、各窓ガラスに対応する各電動スクリーンに対しては、元の動画像（広告主が提供する動画像）の一部の領域の動画像に基づいて生成された投影用動画像が上下に分割されて、２台のプロジェクタにより投影されることになる。
【００２４】
なお、図２（Ｂ）に示すように、第１の実施形態に係る画像投影システムでは、投影用動画像群１３０の投影が終了した状態で、電飾装置群１４０（電飾装置１４０＿１〜１４０＿６）がＯＮ状態になり、かつ電動スクリーンがＯＦＦ状態になるように制御する。
【００２５】
このように、第１の実施形態に係る画像投影システムでは、上側プロジェクタ、下側プロジェクタ、電動スクリーン及び電飾装置群１４０が互いに連動して動作する。
【００２６】
＜３．画像投影システムのシステム構成＞
次に、第１の実施形態に係る画像投影システムのシステム構成について説明する。図３は、画像投影システムのシステム構成の一例を示す図である。図３に示すように、画像投影システム３００は、プロジェクタ３１０＿１ａ〜３１０＿３０ｂ、外部メモリ３２０＿１ａ〜３２０＿３０ｂ、電動スクリーン３３０＿１〜３３０＿３０、制御装置３４０、電飾装置１４０＿１〜１４０＿６を有する。また、画像投影システム３００は、監視装置３５１、監視サーバ３５２、時刻サーバ３６０、情報処理装置３７０、撮像装置３８１、色彩輝度計３８２を有する。
【００２７】
なお、プロジェクタ３１０＿１ａ〜３１０＿３０ｂ、制御装置３４０、監視装置３５１、監視サーバ３５２及び時刻サーバ３６０と、情報処理装置３７０とは、ネットワーク３９０を介して通信可能に接続されている。また、プロジェクタ３１０＿１ａ〜３１０＿３０ｂ、制御装置３４０、情報処理装置３７０と、監視装置３５１とは、ネットワーク３９０を介して通信可能に接続されている。
【００２８】
プロジェクタ３１０＿１ａ〜３１０＿３０ｂは、建物１１０の外面の所定領域に取り付けられた窓ガラス群１２０それぞれの内側において、上下に配置される。上述したとおり、建物１１０の外面の所定領域には、３０枚の窓ガラスが取り付けられているため、本実施形態では、６０台のプロジェクタが配置される。
【００２９】
プロジェクタ３１０＿１ａ〜３１０＿３０ｂは、それぞれ、投影対象となる窓ガラスの大きさに応じた投影範囲に、投影用動画像が歪みなく投影されるよう、校正パターン画像を用いて第１の校正処理を実行する。また、プロジェクタ３１０＿１ａ〜３１０＿３０ｂは、それぞれ、投影対象となる窓ガラスに対して、所定の色味で投影用動画像が投影されるよう、白画像を用いて第２の校正処理を実行する。
【００３０】
また、プロジェクタ３１０＿１ａ〜３１０＿３０ｂは、情報処理装置３７０からの投影開始指示に基づいて、外部メモリ３２０＿１ａ〜３２０＿３０ｂにそれぞれ格納された投影用動画像の中から、指定された投影用動画像を読み出す。更に、プロジェクタ３１０＿１ａ〜３１０＿３０ｂは、それぞれが読み出した投影用動画像を投影対象となる窓ガラスに対応する電動スクリーンに投影する。
【００３１】
外部メモリ３２０＿１ａ〜３２０＿３０ｂは、プロジェクタ３１０＿１ａ〜３１０＿３０ｂそれぞれに接続される。外部メモリ３２０＿１ａ〜３２０＿３０ｂは、プロジェクタ３１０＿１ａ〜３１０＿３０ｂそれぞれにより投影される投影用動画像を格納する。なお、ここでいう外部メモリ３２０＿１ａ〜３２０＿３０ｂには、例えば、ＵＳＢ（Universal Serial Bus）メモリ等が含まれる。
【００３２】
電動スクリーン３３０＿１〜３３０＿３０は、建物１１０の外面の所定領域に含まれる窓ガラス群１２０それぞれの内側に配置される。上述したとおり、建物１１０の外面の所定領域には、３０枚の窓ガラスが取り付けられているため、本実施形態では３０台の電動スクリーンが配置される。
【００３３】
電動スクリーン３３０＿１〜３３０＿３０は、電源ケーブルを介して制御装置３４０と接続され、制御装置３４０により、個別にＯＮ状態とＯＦＦ状態とが制御される。電動スクリーン３３０＿１〜３３０＿３０は、制御装置３４０によりＯＮ状態に制御されると、光透過面は光透過度が下がり、半透明の状態になる。一方、電動スクリーン３３０＿１〜３３０＿３０は、制御装置３４０によりＯＦＦ状態に制御されると、光透過面は光透過度が上がり、透明の状態になる。
【００３４】
制御装置３４０は、情報処理装置３７０からのスクリーンＯＮ指示に基づいて、電動スクリーン３３０＿１〜３３０＿３０をＯＮ状態に制御する。また、制御装置３４０は、情報処理装置３７０からのスクリーンＯＦＦ指示に基づいて、電動スクリーン３３０＿１〜３３０＿３０をＯＦＦ状態に制御する。
【００３５】
更に、制御装置３４０は、情報処理装置３７０からの電飾ＯＮ指示に基づいて、電飾装置１４０＿１〜１４０＿６をＯＮ状態に制御する。また、制御装置３４０は、情報処理装置３７０からの電飾ＯＦＦ指示に基づいて、電飾装置１４０＿１〜１４０＿６をＯＦＦ状態に制御する。
【００３６】
電飾装置１４０＿１〜１４０＿６は、電源ケーブルを介して制御装置３４０と接続され、制御装置３４０により、ＯＮ状態とＯＦＦ状態とが制御される。
【００３７】
監視装置３５１は、ネットワーク３９０を介してプロジェクタ３１０＿１ａ〜３３０＿３０ｂ、制御装置３４０、情報処理装置３７０を監視する。また、監視装置３５１は、不具合を検知した場合に、検知した監視対象を特定するとともに、検知した不具合の種類（自動復旧可能な不具合か、自動復旧不可能な不具合か）を判定する。更に、監視装置３５１は、特定した監視対象及び判定した不具合の種類を、監視結果として情報処理装置３７０に通知する。
【００３８】
監視サーバ３５２は、自動復旧が不可能な不具合が発生した場合に、サービスマンにメール送信を行う。
【００３９】
時刻サーバ３６０は、プロジェクタ３１０＿１ａ〜３１０＿３０ｂと、情報処理装置３７０との間で、時刻を同期させるために、情報処理装置３７０に時刻情報を提供する。
【００４０】
情報処理装置３７０は、画像投影システム３００におけるサイネージ処理を制御するための装置である。情報処理装置３７０には、校正プログラム、画像処理プログラム、サイネージ制御プログラムがインストールされている。情報処理装置３７０は、これらのプログラムを実行することで、校正部３７１、画像処理部３７２、サイネージ制御部３７３として機能する。
【００４１】
校正部３７１は、プロジェクタ３１０＿１ａ〜３１０＿３０ｂとともに、第１の校正処理及び第２の校正処理を実行する。また、校正部３７１は、第１の校正処理を実行することで、プロジェクタ３１０＿１ａ〜３１０＿３０ｂによりそれぞれ投影される投影用動画像の生成の際に用いる補正パラメータを算出する。
【００４２】
更に、校正部３７１は、プロジェクタ３１０＿１ａ〜３１０＿３０ｂとともに、第２の校正処理を実行することで、プロジェクタ３１０＿１ａ〜３１０＿３０ｂに設定されるＲＧＢレベルを算出する。
【００４３】
画像処理部３７２は、分割手段の一例である。画像処理部３７２は、サイネージ対象情報管理部３７５に格納されたサイネージ対象情報と、画像情報管理部３７６に格納された画像情報とを読み出し、広告主から提供された元の動画像から投影用動画像を生成する。サイネージ対象とは、画像投影システム３００により大規模なデジタルサイネージが実現される建物１１０を指す。また、サイネージ対象情報は、建物１１０の外面の所定領域に含まれる窓ガラス群１２０の各窓ガラスの位置、大きさ等の情報を含む。更に、画像情報は、投影用動画像の生成の際に用いられる各種画像や補正パラメータ等を管理するための情報を含む。
【００４４】
なお、画像処理部３７２は、投影用動画像の生成に際して、校正部３７１により算出された補正パラメータを用いる。
【００４５】
また、画像処理部３７２は、投影用動画像を生成する過程で生成した、分割静止画像（詳細は後述）を画像情報管理部３７６に格納する。更に、画像処理部３７２は、生成した投影用動画像群の各投影用動画像を、プロジェクタ３１０＿１ａ〜３１０＿３０ｂそれぞれに送信する。これにより、プロジェクタ３１０＿１ａ〜３１０＿３０ｂは、外部メモリ３２０＿１ａ〜３２０＿３０ｂそれぞれに各投影用動画像を格納する。
【００４６】
サイネージ制御部３７３は、制御手段の一例である。サイネージ制御部３７３は、スケジュール情報管理部３７７に格納されたスケジュール情報に基づいて、サイネージ制御処理を行う。例えば、サイネージ制御部３７３は、投影開始時刻に応じて、プロジェクタ３１０＿１ａ〜３１０＿３０ｂそれぞれに、投影開始指示を送信する。また、サイネージ制御部３７３は、投影開始時刻に応じて、電動スクリーン３３０＿１〜３３０＿３０にスクリーンＯＮ指示を送信する。更に、サイネージ制御部３７３は、投影開始時刻に応じて、電飾装置１４０＿１〜１４０＿６に電飾ＯＦＦ指示を送信する。
【００４７】
ただし、サイネージ制御部３７３は、監視装置３５１から監視結果を受信した場合には、監視結果に応じた処理を行う。
【００４８】
撮像装置３８１は、プロジェクタ３１０＿１ａ〜３１０＿３０ｂそれぞれが第１の校正処理を実行する際に、プロジェクタ３１０＿１ａ〜３１０＿３０ｂそれぞれが投影した校正パターン画像を撮影し、情報処理装置３７０に送信する。なお、撮像装置３８１と、情報処理装置３７０とは、例えば、ＵＳＢケーブルを介して接続される。
【００４９】
色彩輝度計３８２は、プロジェクタ３１０＿１ａ〜３１０＿３０ｂそれぞれが第２の校正処理を実行する際に、プロジェクタ３１０＿１ａ〜３１０＿３０ｂそれぞれが投影した白画像について、色温度を測定し、測定結果を情報処理装置３７０に送信する。なお、色彩輝度計３８２と、情報処理装置３７０とは、例えば、ＵＳＢケーブルを介して接続される。
【００５０】
＜４．情報処理装置のハードウェア構成＞
次に、情報処理装置３７０のハードウェア構成について説明する。図４は、情報処理装置のハードウェア構成の一例を示す図である。
【００５１】
図４に示すように、情報処理装置３７０は、ＣＰＵ（Central Processing Unit）４０１、ＲＯＭ（Read Only Memory）４０２、ＲＡＭ（Random Access Memory）４０３を備える。ＣＰＵ４０１、ＲＯＭ４０２、ＲＡＭ４０３は、いわゆるコンピュータを形成する。更に、情報処理装置３７０は、補助記憶部４０４、表示部４０５、入力部４０６、ネットワークＩ／Ｆ（Interface）部４０７、ＵＳＢＩ／Ｆ部４０８を備える。なお、情報処理装置３７０の各ハードウェアは、バス４０９を介して相互に接続されている。
【００５２】
ＣＰＵ４０１は、補助記憶部４０４に格納された各種プログラム（例えば、校正プログラム、画像処理プログラム、サイネージ制御プログラム等）を実行するデバイスである。
【００５３】
ＲＯＭ４０２は不揮発性の主記憶デバイスである。ＲＯＭ４０２は、補助記憶部４０４に格納された各種プログラムを、ＣＰＵ４０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００５４】
ＲＡＭ４０３は、ＤＲＡＭ（Dynamic Random Access Memory）やＳＲＡＭ（Static Random Access Memory）等の揮発性の主記憶デバイスである。ＲＡＭ４０３は、補助記憶部４０４に格納された各種プログラムがＣＰＵ４０１によって実行される際に展開される、作業領域を提供する。
【００５５】
補助記憶部４０４は、ＣＰＵ４０１により実行される各種プログラムや各種プログラムが実行される際に用いられる各種情報を格納する補助記憶デバイスである。補助記憶部４０４に格納される各種情報には、サイネージ対象情報、画像情報、スケジュール情報及び画像情報により管理される各種情報、補正パラメータ等が含まれる。なお、サイネージ対象情報管理部３７５、画像情報管理部３７６、スケジュール情報管理部３７７は、補助記憶部４０４により実現される。
【００５６】
表示部４０５は、各種画面を表示する表示デバイスである。入力部４０６は、情報処理装置３７０に各種情報を入力するための入力デバイスである。ネットワークＩ／Ｆ部４０７は、ネットワーク３９０と接続するためのインタフェースデバイスである。情報処理装置３７０は、プロジェクタ３１０＿１ａ〜３１０＿３０ｂ、制御装置３４０、時刻サーバ３６０との間の通信を、ネットワークＩ／Ｆ部４０７を介して行う。
【００５７】
ＵＳＢＩ／Ｆ部４０８は、ＵＳＢケーブルを接続するためのインタフェースデバイスである。情報処理装置３７０は、撮像装置３８１、色彩輝度計３８２との間のデータの送受信を、ＵＳＢＩ／Ｆ部４０８を介して行う。
【００５８】
＜５．各管理部に格納される情報＞
次に、情報処理装置３７０の各管理部（サイネージ対象情報管理部３７５、画像情報管理部３７６、スケジュール情報管理部３７７）に格納される各種情報（サイネージ対象情報、画像情報、スケジュール情報）について説明する。
【００５９】
（１）サイネージ対象情報
はじめに、サイネージ対象情報管理部３７５に格納されるサイネージ対象情報について説明する。図５は、サイネージ対象情報の一例を示す図である。図５（ａ）に示すように、サイネージ対象情報５００は、サイネージ対象ごとに生成される。本実施形態では、建物１１０のサイネージ対象ＩＤを、"Ｓ００１"としている。
【００６０】
また、図５（ａ）に示すように、サイネージ対象情報５００には、情報の項目として、"フロア"、"窓ＩＤ"、"窓情報"、"プロジェクタＩＤ"、"電動スクリーンＩＤ"、"電飾装置ＩＤ"が含まれる。
【００６１】
"フロア"には、建物１１０の外面の所定領域に含まれる窓ガラス群１２０が取り付けられたフロアのフロア番号が格納される。
【００６２】
"窓ＩＤ"には、建物１１０の外面の所定領域に含まれる窓ガラス群１２０の各窓ガラスを識別するための識別子が格納される。
【００６３】
"窓情報"には、更に、"位置"、"横サイズ"、"縦サイズ"が含まれる。ここで、図５（ｂ）を参照しながら、"窓情報"に含まれる各窓ガラスの"位置"、"横サイズ"、"縦サイズ"について説明する。
【００６４】
図５（ｂ）に示すように、画像投影システム３００は、建物１１０の外面の所定領域５１０を利用して、大規模なデジタルサイネージを実現する。このとき、画像投影システム３００では、所定領域５１０に含まれる各窓ガラスのレイアウトを特定する際に基準となる点（原点）と、基準となる軸（ｘ軸、ｙ軸）とを規定する。
【００６５】
図５（ｂ）において、点５２０は、所定領域５１０における原点を示している。また、軸５３０は、所定領域５１０において点５２０を原点とした場合のｘ軸を示しており、軸５４０は、所定領域５１０において点５２０を原点とした場合のｙ軸を示している。
【００６６】
図５（ｂ）に示すように、所定領域５１０、原点５２０、ｘ軸５３０、ｙ軸５４０を規定することで、各窓ガラスのレイアウト（位置、横サイズ、縦サイズ）を一意に特定することができる。
【００６７】
図５（ａ）の説明に戻る。"位置"には、建物１１０の外面の所定領域５１０において、各窓ガラスの左下の角の位置を示す座標が格納される。図５（ａ）の場合、窓ＩＤ＝"Ｗ２０１"の窓ガラスの左下の角の位置の座標は、原点（０，０）である。
【００６８】
"横サイズ"には、各窓ガラスの横方向の長さ（幅）が格納される。例えば、窓ＩＤ＝"Ｗ２０１"の窓ガラスの場合、左下の角の位置の座標が（０，０）であり、右下の角の位置の座標が（ｘ１２，０）である。したがって、横サイズ＝"ｘ１２"となる。また、窓ＩＤ＝"Ｗ２０２"の窓ガラスの場合、左下の角の位置の座標が（ｘ２１，０）であり、右下の角の位置の座標が（ｘ２２，０）である。したがって、横サイズ＝"ｘ２２−ｘ２１"となる。
【００６９】
"縦サイズ"には、各窓ガラスの縦方向の長さ（高さ）が格納される。例えば、窓ＩＤ＝"Ｗ２０１"の窓ガラスの場合、左下の角の位置の座標が（０，０）であり、左上の角の位置の座標が（０，ｙ１２）である。したがって、縦サイズ＝"ｙ１２"となる。また、窓ＩＤ＝"Ｗ３０１"の窓ガラスの場合、左下の角の位置の座標が（０，ｙ２１）であり、左上の角の位置の座標が（０，ｙ２２）である。したがって、縦サイズ＝"ｙ２２−ｙ２１"となる。
【００７０】
"プロジェクタＩＤ"には、各窓ガラスに対応する位置に配置されたプロジェクタを識別するための識別子が格納される。図５（ａ）の例は、窓ＩＤ＝"Ｗ２０１"により識別される窓ガラスに対応する位置には、プロジェクタＩＤ＝"ＰＪ２０１Ａ"、"ＰＪ２０１Ｂ"により識別されるプロジェクタがそれぞれ配置されていることを示している。
【００７１】
"電動スクリーンＩＤ"には、各窓ガラスに対応する位置に配置された電動スクリーンを識別するための識別子が格納される。図５（ａ）の例は、窓ＩＤ＝"Ｗ２０１"により識別される窓ガラスに対応する位置には、電動スクリーンＩＤ＝"ＳＣ２０１"により識別される電動スクリーンが配置されていることを示している。
【００７２】
"電飾装置ＩＤ"には、各フロアのいずれかの窓ガラスに対応する位置に配置された電飾装置を識別するための識別子が格納される。図５（ａ）の例は、フロア＝"２Ｆ"により識別されるフロアには、電飾装置ＩＤ＝"Ｅ２００"により識別される電飾装置が配置されていることを示している。
【００７３】
（２）画像情報
次に、画像情報管理部３７６に格納される画像情報について説明する。図６は、画像情報の一例を示す図である。図６に示すように、画像情報６００には、情報の項目として、"動画像ＩＤ"、"サイネージ対象ＩＤ"、"窓ＩＤ"、"プロジェクタＩＤ"が含まれる。また、画像情報６００には、情報の項目として、"補正パラメータＩＤ"、"算出日時"、"分割静止画像群ＩＤ"、"投影用動画像ＩＤ"、"生成日時"が含まれる。
【００７４】
"動画像ＩＤ"には、広告主から提供される元の動画像を識別するための識別子が格納される。図６の例は、動画像ＩＤとして"Ｃ１００"により識別される動画像が、画像情報管理部３７６に格納されていることを示している。
【００７５】
"サイネージ対象ＩＤ"には、広告主から提供される元の動画像に基づいて生成された投影用動画像群１３０を用いて大規模デジタルサイネージを実現する建物１１０を識別するための識別子が格納される。図６の例は、動画像ＩＤ＝"Ｃ１００"により識別される動画像に基づいて生成された投影用動画像群１３０を用いて、サイネージ対象ＩＤ＝"Ｓ００１"により識別される建物１１０において、大規模デジタルサイネージが実現されることを示している。
【００７６】
"窓ＩＤ"には、サイネージ対象ＩＤ＝"Ｓ００１"により識別される建物１１０の外面の所定領域５１０に含まれる窓ガラス群１２０の各窓ガラスを識別するための識別子が格納される。
【００７７】
"プロジェクタＩＤ"には、窓ＩＤにより識別される各窓ガラスに対応する位置に配置されたプロジェクタを識別するための識別子が格納される。
【００７８】
"補正パラメータＩＤ"には、校正部３７１により算出された補正パラメータを識別するための識別子が格納される。上述したとおり、第１の校正処理が実行されることで、校正部３７１では、窓ガラスごとに補正パラメータを算出するため、補正パラメータＩＤは、窓ＩＤと対応付けて格納される。"算出日時"には、補正パラメータが算出された日時が格納される。
【００７９】
"分割静止画像群ＩＤ"には、動画像ＩＤ＝"Ｃ１００"により識別される動画像に基づいて、投影用動画像群を生成する過程で生成された、分割静止画像群を識別するための識別子が格納される。
【００８０】
"投影用動画像ＩＤ"には、動画像ＩＤ＝"Ｃ１００"により識別される動画像に基づいて生成された、投影用動画像群に含まれる各投影用動画像を識別するための識別子が格納される。
【００８１】
"生成日時"には、投影用動画像ＩＤにより識別される各投影用動画像が生成された日時が格納される。
【００８２】
図６の例は、動画像ＩＤ＝"Ｃ１００"の動画像から、投影用動画像ＩＤ＝"Ｍ２０１Ａ"、"Ｍ２０１Ｂ"、・・・が生成されたことを示している。
【００８３】
また、図６の例によれば、投影用動画像ＩＤ＝"Ｍ２０１Ａ"の投影用動画像は、窓ＩＤ＝"Ｗ２０１"の窓ガラスに対応する位置に配置されたプロジェクタＩＤ＝"ＰＪ２０１Ａ"のプロジェクタにより投影される。
【００８４】
また、図６の例によれば、投影用動画像ＩＤ＝"Ｍ２０１Ａ"の投影用動画像の生成に際しては、"２０１６年５月２５日"に補正パラメータ（補正パラメータＩＤ＝"Ｐ２０１"）が算出されている。
【００８５】
また、図６の例によれば、当該補正パラメータ（補正パラメータＩＤ＝"Ｐ２０１"）により、分割静止画像群ＩＤ＝"Ｃ２０１"の分割静止画像群が補正されている。更に、図６の例によれば、補正された分割静止画像群ＩＤ＝"Ｃ２０１"の分割静止画像群に基づいて、"２０１６年６月１０日"に、投影用動画像ＩＤ＝"Ｍ２０１Ａ"及び"Ｍ２０１Ｂ"の投影用動画像がそれぞれ生成されている。
【００８６】
（３）スケジュール情報
次に、スケジュール情報管理部３７７に格納されるスケジュール情報について説明する。図７は、スケジュール情報の一例を示す図である。図７に示すように、スケジュール情報７００は、サイネージ対象ごとに生成される。また、図７に示すように、スケジュール情報７００には、情報の項目として、"時刻"、"サイネージ装置"が含まれる。
【００８７】
"時刻"には、サイネージ対象ＩＤ＝"Ｓ００１"により識別される建物１１０の窓ガラス群１２０を、デジタルサイネージとして利用することができる時間帯が記載される。図７の例によれば、１０時００分から２２時００分までの間の時間帯において、デジタルサイネージとして利用することが可能である。
【００８８】
"サイネージ装置"には、更に、"プロジェクタ"、"電動スクリーン"、"電飾装置"が含まれる。"プロジェクタ"には、プロジェクタ３１０＿ａ〜３１０＿３０ｂにより投影用動画像が投影される時間帯が記載される。図７の例によれば、２０時００分から２１時００分の間に、動画像ＩＤ＝"Ｃ１００"に基づいて生成された投影用動画像群が投影される。
【００８９】
"電動スクリーン"には、電動スクリーン３３０＿１〜３３０＿３０がＯＮ状態になる時間帯が記載される。電動スクリーン３３０＿１〜３３０＿３０がＯＮ状態になる時間帯は、プロジェクタ３１０＿１ａ〜３１０＿３０ｂにより投影用動画像群が投影される時間帯（２０時００分〜２１時００分）と同じ時間帯となる。
【００９０】
"電飾装置"には、電飾装置１４０＿１〜１４０＿６がＯＮ状態になる時間帯が記載される。本実施形態において、電飾装置１４０＿１〜１４０＿６は、夕方以降（図７の例では、１７時００分以降）の時間帯においてＯＮ状態になる。ただし、プロジェクタ３１０＿１ａ〜３１０＿３０ｂにより投影用動画像群が投影される時間帯（２０時００分から２１時００分の間）は除かれる。
【００９１】
＜６．画像投影システムにおけるサイネージ処理の流れ＞
次に、画像投影システム３００におけるサイネージ処理の流れについて説明する。図８は、サイネージ処理の流れを示すフローチャートである。建物１１０において、画像投影システム３００の設置が完了することで、画像投影システム３００では、図８に示すサイネージ処理を実行する。
【００９２】
具体的には、ステップＳ８０１において、画像投影システム３００は、プロジェクタ３１０＿１ａ〜３１０＿３０ｂの校正処理（第１の校正処理及び第２の校正処理等）を行う。
【００９３】
ステップＳ８０２において、画像投影システム３００は、画像処理（投影用動画像（"Ｍ２０１Ａ"〜"Ｍ７０５Ｂ"）の生成及び各プロジェクタ３１０＿１ａ〜３１０＿３０ｂへの投影用動画像の送信等）を行う。
【００９４】
ステップＳ８０３において、画像投影システム３００は、サイネージ制御処理を行う。具体的には、画像投影システム３００は、プロジェクタ３１０＿１ａ〜３１０＿３０ｂによる投影用動画像群の投影開始／終了制御、電動スクリーン３３０＿１〜３３０＿３０のＯＮ／ＯＦＦ制御、電飾装置１４０＿１〜１４０＿６のＯＮ／ＯＦＦ制御を行う。
【００９５】
なお、ステップＳ８０３においてサイネージ制御処理が行われている間、監視装置３５１では、監視処理を行い、監視対象における不具合の発生を検知する。
【００９６】
＜７．校正処理の詳細＞
次に、画像投影システム３００における校正処理（ステップＳ８０１）の詳細について説明する。
【００９７】
（１）校正部の機能構成
はじめに、校正処理を実行する、情報処理装置３７０の校正部３７１の機能構成について説明する。図９は、情報処理装置の校正部の機能構成を示す図である。
【００９８】
図９に示すように校正部３７１は、第１校正部９１１及び第２校正部９１２を有する。第１校正部９１１は、第１の校正処理時に起動し、各種処理を実行する。具体的には、第１校正部９１１は、画像処理部３７２が投影用動画像を生成する際に用いる補正パラメータを算出する。また、第１校正部９１１は、算出した補正パラメータを画像情報管理部３７６に格納するとともに、算出した補正パラメータを示す補正パラメータＩＤ及び算出日時を、窓ＩＤと対応付けて画像情報６００に格納する。これにより、画像処理部３７２では、プロジェクタ３１０＿１ａ〜３１０＿３０ｂにより投影された際に歪みのない投影用動画像を生成することができる。
【００９９】
第２校正部９１２は、第２の校正処理時に起動し、各種処理を実行する。具体的には、第２校正部９１２は、投影用動画像が所定の色味で投影されるよう、ＲＧＢレベルを算出し、プロジェクタ３１０＿１ａ〜３１０＿３０ｂに対して設定する。
【０１００】
（２）第１の校正処理の流れ
次に、第１の校正処理の詳細について、図１１〜図１３を逐次参照しながら、図１０のシーケンス図に基づいて説明する。図１０は、第１の校正処理のシーケンス図である。
【０１０１】
図１０に示すように、ステップＳ１００１において、操作者１０００は、情報処理装置３７０に対して、第１校正部９１１を起動させるための起動指示を入力する。
【０１０２】
操作者１０００により起動指示が入力されたことに応じて、ステップＳ１００２では、第１校正部９１１が起動し、情報処理装置３７０の表示部４０５には、第１の校正処理を実行する対象（プロジェクタ）を操作者１０００が選択するための選択画面が表示される。
【０１０３】
ステップＳ１００３において、操作者１０００は、表示部４０５に表示された選択画面の中から、第１の校正処理を実行する対象が配置されている窓ガラスを選択する。
【０１０４】
操作者１０００により窓ガラスが選択されたことに応じて、第１校正部９１１は、選択された窓ガラスに対応する位置に配置されているプロジェクタを識別する。そして、ステップＳ１００４及びＳ１００５において、第１校正部９１１は、識別したプロジェクタそれぞれに対して、ランプＯＮ指示を送信する。
【０１０５】
図１１は、第１の校正処理時に表示される情報処理装置の画面の一例を示す図である。第１校正部９１１が起動すると、情報処理装置３７０の表示部４０５には、選択画面１１００が表示される。図１１に示すように、選択画面１１００には、建物１１０の窓ガラス群１２０のレイアウト１１１０が含まれる。
【０１０６】
操作者１０００は、レイアウト１１１０内の窓ガラスを示す矩形ボタンを押圧し、完了ボタン１１２０を押圧することで、第１の校正処理を実行する対象が配置されている窓ガラスを選択する。図１１の例は、矩形ボタン１１１１が押圧され、完了ボタン１１２０が押圧された様子を示している。
【０１０７】
矩形ボタン１１１１により特定される窓ガラスは、窓ＩＤ＝"Ｗ７０３"の窓ガラス１１２８である。図１１の下側に示すとおり、窓ガラス１１２８に対応する位置には、プロジェクタ３１０＿２８ａ（プロジェクタＩＤ＝"ＰＪ７０３Ａ"）とプロジェクタ３１０＿２８ｂ（プロジェクタＩＤ＝"ＰＪ７０３Ｂ"）とが配置されている。
【０１０８】
したがって、ステップＳ１００４において、第１校正部９１１は、プロジェクタ３１０＿２８ａにランプＯＮ指示を送信する。また、ステップＳ１００５において、第１校正部９１１は、プロジェクタ３１０＿２８ｂにランプＯＮ指示を送信する。なお、この時点で、窓ガラス１１２８の電動スクリーン３３０＿２８（電動スクリーンＩＤ＝"ＳＣ７０３"）はＯＮ状態になっているものとする。
【０１０９】
続いて、ステップＳ１００６において、第１校正部９１１は、校正パターン画像を生成する。第１校正部９１１は、校正パターン画像として、２つの異なる校正パターン画像を生成する。
【０１１０】
ステップＳ１００７において、第１校正部９１１は、プロジェクタ３１０＿２８ａに対して、第１の校正パターン画像を送信する。また、ステップＳ１００８において、第１校正部９１１は、プロジェクタ３１０＿２８ｂに対して、第２の校正パターン画像を送信する。
【０１１１】
ステップＳ１００９において、プロジェクタ３１０＿２８ａは、第１校正部９１１より送信された第１の校正パターン画像を投影する。また、ステップＳ１０１０において、プロジェクタ３１０＿２８ｂは、第１校正部９１１より送信された第２の校正パターン画像を投影する。
【０１１２】
ステップＳ１０１１において、操作者１０００は、投影された第１及び第２の校正パターン画像を撮像装置３８１を用いて撮影するために、撮像装置３８１に撮影指示を入力する。
【０１１３】
ステップＳ１０１２において、撮像装置３８１は、投影された第１及び第２の校正パターン画像について撮影処理を実行し、ステップＳ１０１３において、撮像装置３８１は撮影結果を情報処理装置３７０に送信する。
【０１１４】
図１２は、第１の校正処理時に投影される校正パターン画像の一例を示す図である。図１２に示すように、プロジェクタ３１０＿２８ａは、第１の校正パターン画像を投影し、プロジェクタ３１０＿２８ｂは、第２の校正パターン画像を投影する。操作者１０００は、投影された第１及び第２の校正パターン画像を撮像装置３８１を用いて撮影することで、撮影結果を情報処理装置３７０に送信する。
【０１１５】
図１０の説明に戻る。ステップＳ１０１４において、操作者１０００は、第１の校正パターン画像と第２の校正パターン画像を入れ替えるための入れ替え指示を入力する。
【０１１６】
ステップＳ１０１５において、第１校正部９１１は、入れ替え指示に応じて、プロジェクタ３１０＿２８ａに第２の校正パターン画像を送信する。また、ステップＳ１０１６において、第１校正部９１１は、プロジェクタ３１０＿２８ｂに第１の校正パターン画像を送信する。
【０１１７】
ステップＳ１０１７において、プロジェクタ３１０＿２８ａは、第１校正部９１１より送信された第２の校正パターン画像を投影する。また、ステップＳ１０１８において、プロジェクタ３１０＿２８ｂは、第１校正部９１１より送信された第１の校正パターン画像を投影する。
【０１１８】
ステップＳ１０１９において、操作者１０００は、投影された第２及び第１の校正パターン画像を撮像装置３８１を用いて撮影するために、撮像装置３８１に撮影指示を入力する。
【０１１９】
ステップＳ１０２０において、撮像装置３８１は、投影された第２及び第１の校正パターン画像について撮影処理を実行し、ステップＳ１０２１において、撮像装置３８１は、撮影結果を情報処理装置３７０に送信する。
【０１２０】
図１３は、第１の校正処理時に投影される校正パターン画像の他の一例を示す図である。図１３に示すように、プロジェクタ３１０＿２８ａは、第２の校正パターン画像を投影し、プロジェクタ３１０＿２８ｂは、第１の校正パターン画像を投影する。操作者１０００は、投影された第２及び第１の校正パターン画像を撮像装置３８１を用いて撮影することで、撮影結果を情報処理装置３７０に送信する。
【０１２１】
再び、図１０の説明に戻る。ステップＳ１０２２において、操作者１０００は、第１校正部９１１に対して、補正パラメータの算出に用いる撮影結果を指定するための入力を行う。ステップＳ１０２３において、第１校正部９１１は、操作者１０００により指定された撮影結果を読み出す。
【０１２２】
ステップＳ１０２４において、操作者１０００は、補正パラメータの算出を指示するための入力を行う。ステップＳ１０２５において、第１校正部９１１は、読み出した撮影結果に基づいて、補正パラメータを算出する。
【０１２３】
なお、第１校正部９１１において算出される補正パラメータには、第１及び第２の校正パターン画像に対して位置合わせ補正、スケール合わせ補正、歪み補正等の各種幾何学的な補正を行うための幾何学パラメータが含まれる。この幾何学パラメータは、例えば、電動スクリーンや投影装置の設置位置、投影装置の光学機器の個体差等の種々の要因によって変動する。このため、幾何学パラメータは、窓ガラス（電動スクリーンと投影装置との組み合わせ）ごとに異なる場合が多い。後述する画像処理部３７２では、窓ガラスごとに適切な幾何学パラメータを用いて補正を行うことで、図１のように投影した投影用動画像群１３０のうちの一部の投影用動画像が歪んで表示される、といった不具合が発生するのを回避する。
【０１２４】
第１校正部９１１は、算出した補正パラメータを画像情報管理部３７６に格納する。また、第１校正部９１１は、補正パラメータＩＤ（例えば、"Ｐ７０３"）及び、算出日時（例えば、"２０１６．５．２５"）を、窓ＩＤ（例えば、"Ｗ７０３"）と対応付けて画像情報６００に格納する。
【０１２５】
（３）第２の校正処理の流れ
次に、第２の校正処理の詳細について、図１５を参照しながら、図１４のシーケンス図に基づいて説明する。図１４は、第２の校正処理のシーケンス図である。
【０１２６】
図１４に示すように、ステップＳ１４０１において、操作者１０００は、情報処理装置３７０に対して、第２校正部９１２を起動させるための起動指示を入力する。
【０１２７】
操作者１０００により起動指示が入力されたことに応じて、ステップＳ１４０２では、第２校正部９１２が起動し、情報処理装置３７０の表示部４０５には、第２の校正処理を実行する対象（プロジェクタ）を操作者１０００が選択するための選択画面が表示される。
【０１２８】
ステップＳ１４０３において、操作者１０００は、表示部４０５に表示された選択画面の中から、第２の校正処理を実行する対象が配置されている窓ガラスを選択する。
【０１２９】
操作者１０００により窓ガラスが選択されたことに応じて、第２校正部９１２は、選択された窓ガラスに対応する位置に配置されている電動スクリーンを識別する。そして、ステップＳ１４０４において第２校正部９１２は、識別した電動スクリーンに対して、スクリーンＯＦＦ指示を送信する。
【０１３０】
なお、図１４の例は、第１の校正処理同様、窓ＩＤ＝"Ｗ７０３"の窓ガラス１１２８が選択され、対応する電動スクリーン３３０＿２８に対して、スクリーンＯＦＦ指示が送信された場合を示している。
【０１３１】
第２校正部９１２よりスクリーンＯＦＦ指示が送信されたことに応じて、ステップＳ１４０５では、電動スクリーン３３０＿２８がＯＦＦ状態になる。
【０１３２】
ステップＳ１４０６において、第２校正部９１２は、窓ＩＤ＝"Ｗ７０３"の窓ガラス１１２８に対応する位置に配置されたプロジェクタ３１０＿２８ａ（プロジェクタＩＤ＝"ＰＪ７０３Ａ"）に対して、ランプＯＮ指示を送信する。これにより、プロジェクタｎ'３１０＿２８ａのランプがＯＮ状態になる。
【０１３３】
ステップＳ１４０７において、操作者１０００は、情報処理装置３７０に対して、プロジェクタ３１０＿２８ａに白画像を投影するための投影指示を入力する。
【０１３４】
ステップＳ１４０８において、第２校正部９１２は、操作者１０００による白画像投影指示に応じて、プロジェクタ３１０＿２８ａに対して、白画像投影指示を送信する。
【０１３５】
ステップＳ１４０９において、プロジェクタ３１０＿２８ａは、第２校正部９１２より送信された白画像投影指示に応じて、全白投影を行う。
【０１３６】
ステップＳ１４１０において、操作者１０００は、プロジェクタ３１０＿２８ａにより全白投影された窓ガラスの色温度を測定するための測定指示を、色彩輝度計３８２に対して入力する。
【０１３７】
ステップＳ１４１１において、色彩輝度計３８２は、全白投影された窓ガラス１１２８の色温度を測定する。ステップＳ１４１２において、操作者１０００は、測定した色温度を測定結果として情報処理装置３７０に入力する。
【０１３８】
ステップＳ１４１３において、第２校正部９１２は、操作者１０００により入力された色温度を、ＲＧＢレベルに変換する変換処理を行う。
【０１３９】
ステップＳ１４１４において、第２校正部９１２は、変換処理を行うことで算出したＲＧＢレベルを、プロジェクタ３１０＿２８ａに送信する。
【０１４０】
ステップＳ１４１５において、プロジェクタ３１０＿２８ａは、第２校正部９１２より送信されたＲＧＢレベルを設定する。
【０１４１】
図１５は、第２の校正処理時に投影される白画像の一例を示す図である。図１５に示すように、電動スクリーン３３０＿２８がＯＦＦ状態において、プロジェクタ３１０＿２８ａは、白画像を窓ガラス１１２８に投影する。また、操作者１０００は、色彩輝度計３８２を用いて窓ガラス１１２８の色温度を測定し、測定結果を情報処理装置３７０に入力する。これにより、情報処理装置３７０では、ＲＧＢレベルが算出され、プロジェクタ３１０＿２８ａには、測定結果に応じたＲＧＢレベルが設定される。
【０１４２】
図１４の説明に戻る。ステップＳ１４１６において、操作者１０００は、情報処理装置３７０に対して、第２の校正処理の終了指示を入力する。ステップＳ１４１７において、第２校正部９１２は、操作者１０００により終了指示が入力されたことに応じて、電動スクリーン３３０＿２８に対して、スクリーンＯＮ指示を送信する。
【０１４３】
第２校正部９１２よりスクリーンＯＮ指示が送信されたことに応じて、ステップＳ１４１８では、電動スクリーン３３０＿２８がＯＮ状態になる。
【０１４４】
＜８．画像処理の詳細＞
次に、画像投影システム３００における画像処理（ステップＳ８０２）の詳細について説明する。
【０１４５】
（１）画像処理部の機能構成
はじめに、画像処理を実行する、情報処理装置３７０の画像処理部３７２の機能構成について説明する。図１６は、情報処理装置の画像処理部の機能構成を示す図である。
【０１４６】
図１６に示すように画像処理部３７２は、対象情報取得部１６１１、画像情報取得部１６１２、反転部１６１３、デコード部１６１４を有する。また、画像処理部３７２は、第１分割部１６１５、補正部１６１６、第２分割部１６１７、エンコード部１６１８、送信部１６１９を有する。
【０１４７】
対象情報取得部１６１１は、サイネージ対象情報管理部３７５より、サイネージ対象情報を読み出し、第１分割部１６１５に通知する。
【０１４８】
画像情報取得部１６１２は、画像情報管理部３７６より、広告主から提供された動画像を読み出し、反転部１６１３に通知する。
【０１４９】
反転部１６１３は、画像情報取得部１６１２より通知された動画像の左右を反転させる。画像投影システム３００では、透明または半透明の光透過面（窓ガラス及び電動スクリーン）に対して内側から投影し、投影結果が、外側から視認される。このため、予め左右を反転しておく必要がある。このように、反転部１６１３が反転処理を行うことで、広告主が意図した動画像とは左右が反転した動画像が視認される、といった事態を回避することができる。反転部１６１３は、反転後の動画像をデコード部１６１４に通知する。
【０１５０】
デコード部１６１４は、左右が判定された動画像をデコード処理し、フレーム単位に分解することで、静止画像群を抽出する。デコード部１６１４は、抽出した静止画像群に含まれる各静止画像を、順次、第１分割部１６１５に通知する。
【０１５１】
第１分割部１６１５は、デコード部１６１４から順次通知される各静止画像について、対象情報取得部１６１１から通知されたサイネージ対象情報５００に基づいて、複数の静止画像に分割する第１分割処理を行う。これにより、第１分割部１６１５は、窓ガラスの位置及び窓ガラスのサイズに応じた分割静止画像（分割画像）を生成することができる。
【０１５２】
また、第１分割部１６１５は、静止画像群に含まれる全ての静止画像に対して第１分割処理を行うことで取得した複数の分割静止画像について、同じ窓ガラスの分割静止画像ごとにわけることで、窓ガラスの数分の複数の分割静止画像群を生成する。第１分割部１６１５は、生成した複数の分割静止画像群を、画像情報管理部３７６に格納する。
【０１５３】
また、第１分割部１６１５は、生成した複数の分割静止画像群それぞれに、分割静止画像群ＩＤを付し、窓ＩＤと対応付けて画像情報６００に格納する。
【０１５４】
さらに、第１分割部１６１５は、生成した複数の分割静止画像群それぞれを、窓ＩＤと対応付けて補正部１６１６に通知する。
【０１５５】
補正部１６１６は、第１分割部１６１５より通知された複数の分割静止画像群それぞれを、窓ＩＤに応じた補正パラメータを用いて補正する。また、補正部１６１６は、補正後の複数の分割静止画像群を第２分割部１６１７に通知する。
【０１５６】
第２分割部１６１７は、補正部１６１６より通知された、補正後の複数の分割静止画像群それぞれを、プロジェクタ単位に分割する。補正部１６１６により通知された、補正後の複数の分割静止画像群は、それぞれ窓ガラス単位で生成されているため、第２分割部１６１７では、プロジェクタ単位に分割する。
【０１５７】
エンコード部１６１８は、プロジェクタ単位に分割された補正後の複数の分割静止画像群を、プロジェクタ単位でエンコード処理し、プロジェクタの数分の複数の投影用動画像を生成する。エンコード部１６１８は、生成した複数の投影用動画像を識別するための投影用動画像ＩＤと生成日時とを、プロジェクタＩＤと対応付けて画像情報６００に格納する。
【０１５８】
送信部１６１９は、エンコード部１６１８により生成された複数の投影用動画像を、対応するプロジェクタにそれぞれ送信する。なお、送信部１６１９が投影用動画像を、対応するプロジェクタに事前に送信しておくことで、サイネージ制御部３７３では、投影開始時に、プロジェクタに対して投影開始指示を送信すれば足りることになる。これにより、プロジェクタに対して投影開始時に投影用動画像を送信する構成とした場合と比較して、投影用動画像の投影に際して遅延が生じる可能性を低減させることができる。
【０１５９】
（２）画像処理の具体例
次に、画像処理部３７２による画像処理の具体例について説明する。図１７は、画像処理の具体例を示す図である。
【０１６０】
図１７において、動画像１７１０は、広告主から提供された動画像ＩＤ＝"Ｃ１００"の動画像であり、ＭＰＥＧ４形式で画像情報管理部３７６に格納されている。画像情報取得部１６１２が、動画像１７１０を読み出し、反転部１６１３に通知すると、反転部１６１３は、動画像１７１０の左右を反転させ、反転後の動画像１７１１を生成する。
【０１６１】
反転後の動画像１７１１は、デコード部１６１４によりデコード処理され、複数の静止画像からなる静止画像群として抽出される。更に、抽出された静止画像群に対しては、第１分割部１６１５が、サイネージ対象情報５００に基づく第１分割処理を行い、複数の分割静止画像群を生成する。
【０１６２】
なお、複数の分割静止画像群（分割静止画像群１７２０＿１、１７２０＿２、・・・１７２０＿３０）には、それぞれ、分割静止画像群ＩＤ（Ｃ２０１、Ｃ２０２、・・・Ｃ７０５）が付され、窓ＩＤと対応付けて画像情報６００に格納される。
【０１６３】
また、複数の分割静止画像群１７２０＿１、１７２０＿２、・・・１７２０＿３０に対しては、補正部１６１６が、それぞれ、対応する補正パラメータを用いて補正を行う。例えば、補正部１６１６は、分割静止画像群１７２０＿１を、補正パラメータ１７３０＿１（補正パラメータＩＤ＝"Ｐ２０１"）を用いて補正する。また、補正部１６１６は、分割静止画像群１７２０＿２を、補正パラメータ１７３０＿２（補正パラメータＩＤ＝"Ｐ２０２"）を用いて補正する。更に、補正部１６１６は、分割静止画像群１７２０＿３０を、補正パラメータ１７３０＿３０（補正パラメータＩＤ＝"Ｐ７０５"）を用いて補正する。
【０１６４】
補正パラメータにより補正された補正後の分割静止画像群１７２０＿１、１７２０＿２、・・・１７２０＿３０は、それぞれ、第２分割部１６１７により、プロジェクタ単位に分割される。例えば、補正後の分割静止画像群１７２０＿１は、プロジェクタ３１０＿１ａ用の分割静止画像群１７４０＿１ａと、プロジェクタ３１０＿１ｂ用の分割静止画像群１７４０＿１ｂとに分割される。
【０１６５】
同様に、補正後の分割静止画像群１７２０＿３０は、プロジェクタ３１０＿３０ａ用の分割静止画像群１７４０＿３０ａと、プロジェクタ３１０＿３０ｂ用の分割静止画像群１７４０＿３０ｂとに分割される。
【０１６６】
第２分割部１６１７によりプロジェクタ単位に分割された補正後の分割静止画像群１７４０＿１ａ〜１７４０＿３０ｂに対しては、エンコード部１６１８がエンコード処理を行う。これにより、エンコード部１６１８は、ＭＰＥＧ４形式の投影用動画像を生成する。
【０１６７】
例えば、エンコード部１６１８は、プロジェクタ３１０＿１ａ用の分割静止画像群１７４０＿１ａをエンコード処理することで、投影用動画像１７５０＿１ａを生成する。また、エンコード部１６１８は、プロジェクタ３１０＿１ｂ用の分割静止画像群１７４０＿１ｂをエンコード処理することで、投影用動画像１７５０＿１ｂを生成する。更に、エンコード部１６１８は、プロジェクタ３１０＿３０ａ用の分割静止画像群１７４０＿３０ａ、プロジェクタ３１０＿３０ｂ用の分割静止画像群１７４０＿３０ｂをエンコード処理することで、投影用動画像１７５０＿３０ａ、１７５０＿３０ｂを生成する。
【０１６８】
エンコード部１６１８は、生成した複数の投影用動画像１７５０＿１ａ〜１７５０＿３０ｂを識別するための投影用動画像ＩＤ（Ｍ２０１Ａ、Ｍ２０１Ｂ、・・・Ｍ７０５Ａ、Ｍ７０５Ｂ）及び生成日時を、プロジェクタＩＤと対応付けて画像情報６００に格納する。
【０１６９】
また、送信部１６１９は、生成された複数の投影用動画像１７５０＿１ａ〜１７５０＿３０ｂを、対応するプロジェクタに送信する。例えば、送信部１６１９は、投影用動画像１７５０＿１ａを、プロジェクタ３１０＿１ａに送信する。また、投影用動画像１７５０＿１ｂを、プロジェクタ３１０＿１ｂに送信する。更に、送信部１６１９は、投影用動画像１７５０＿３０ａを、プロジェクタ３１０＿３０ａに、投影用動画像１７５０＿３０ｂを、プロジェクタ３１０＿３０ｂにそれぞれ送信する。
【０１７０】
（３）画像処理の流れ
次に、画像処理の流れについて、図１８のフローチャートに基づいて説明する。図１８は、画像処理の流れを示すフローチャートである。
【０１７１】
ステップＳ１８０１において、画像情報取得部１６１２は、画像情報管理部３７６より動画像を取得する。
【０１７２】
ステップＳ１８０２において、対象情報取得部１６１１は、サイネージ対象情報管理部３７５より、サイネージ対象情報５００を取得する。
【０１７３】
ステップＳ１８０３において、反転部１６１３は、ステップＳ１８０１において取得した動画像に対して、左右反転処理を行う。
【０１７４】
ステップＳ１８０４において、デコード部１６１４は、反転後の動画像をデコード処理することで、静止画像群を抽出する。
【０１７５】
ステップＳ１８０５において、第１分割部１６１５は、静止画像カウンタｎに１を代入する。
【０１７６】
ステップＳ１８０６において、第１分割部１６１５は、ｎ番目の静止画像に対して、第１分割処理を行う。なお、第１分割処理のフローチャートの詳細は、後述する。
【０１７７】
ステップＳ１８０７において、第１分割部１６１５は、全ての静止画像について第１分割処理を行ったか否かを判定する。ステップＳ１８０７において、第１分割処理を行っていない静止画像があると判定した場合には（ステップＳ１８０７においてＮｏの場合には）、ステップＳ１８０８に進む。ステップＳ１８０８において、第１分割部１６１５は、静止画像カウンタｎをインクリメントした後、ステップＳ１８０６に戻る。
【０１７８】
一方、ステップＳ１８０７において、全ての静止画像について第１分割処理を行ったと判定した場合には、ステップＳ１８０９に進む。
【０１７９】
ステップＳ１８０９において、第１分割部１６１５は、各静止画像について生成した複数の分割静止画像を、同じ窓ガラスに対応する分割静止画像ごとに分けることで、窓ガラス数分の分割静止画像群を生成し、画像情報管理部３７６に格納する。また、第１分割部１６１５は、生成した分割静止画像群ごとに分割静止画像群ＩＤを付し、窓ＩＤと対応付けて画像情報６００に格納する。
【０１８０】
ステップＳ１８１０において、補正部１６１６は、分割静止画像群カウンタｍに１を代入する。
【０１８１】
ステップＳ１８１１において、補正部１６１６は、ステップＳ１８０９において生成された分割静止画像群のうち、ｍ番目の分割静止画像群を、対応する補正パラメータを用いて補正する。
【０１８２】
ステップＳ１８１２において、第２分割部１６１７は、補正後のｍ番目の分割静止画像群について、第２分割処理を行う。
【０１８３】
ステップＳ１８１３において、第２分割部１６１７は、ステップＳ１８０９において生成された全ての分割静止画像群について、補正処理及び第２分割処理を行ったか否かを判定する。
【０１８４】
ステップＳ１８１３において、補正処理及び第２分割処理を行っていない分割静止画像群があると判定した場合には（ステップＳ１８１３においてＮｏの場合には）、ステップＳ１８１４に進む。
【０１８５】
ステップＳ１８１４において、補正部１６１６は、分割静止画像群カウンタｍをインクリメントし、ステップＳ１８１１に戻る。
【０１８６】
一方、ステップＳ１８１３において、全ての分割静止画像群について、補正処理及び第２分割処理を行ったと判定した場合には（ステップＳ１８１３においてＹｅｓの場合には）、ステップＳ１８１５に進む。
【０１８７】
ステップＳ１８１５において、エンコード部１６１８は、第２分割処理された分割静止画像群を、プロジェクタ単位でエンコード処理することで、プロジェクタの数分の複数の投影用動画像を生成する。また、エンコード部１６１８は、生成した複数の投影用動画像について、生成日時を画像情報６００に格納する。
【０１８８】
ステップＳ１８１６において、送信部１６１９は、生成された複数の投影用動画像を、対応するプロジェクタにそれぞれ送信する。
【０１８９】
（４）第１分割処理の詳細
次に、第１分割処理（ステップＳ１８０６）の詳細について図１９及び図２０を用いて説明する。図１９は、第１分割処理の流れを示すフローチャートである。また、図２０は、第１分割処理の一例を示す図である。
【０１９０】
ステップＳ１９０１において、第１分割部１６１５は、ｎ番目の静止画像を読み出す。図２０において、静止画像２０００は、第１分割部１６１５により読み出されたｎ番目の静止画像であるとする。
【０１９１】
ステップＳ１９０２において、第１分割部１６１５は、フロアカウンタｆに"２"を代入する。
【０１９２】
ステップＳ１９０３において、第１分割部１６１５は、１フロアあたりの窓ガラス数をカウントする窓カウンタｇに"１"を代入する。
【０１９３】
ステップＳ１９０４において、第１分割部１６１５は、サイネージ対象情報５００より、窓ＩＤ＝"Ｗｆ０ｇ"の"位置"、"横サイズ"、"縦サイズ"を読み出す。ここでは、ｆに"２"が代入され、ｇに"１"が代入されているため、窓ＩＤ＝"Ｗ２０１"の位置（（０，０））、横サイズ（ｘ１２）、縦サイズ（ｙ１２）が読み出される。
【０１９４】
ステップＳ１９０５において、第１分割部１６１５は、ステップＳ１９０４において読み出した位置、横サイズ、縦サイズを、静止画像２０００と所定領域５１０との対比に応じて、静止画像２０００上の画素に変換する。
【０１９５】
図２０に示すように、本実施形態において、静止画像２０００は、横４０００画素、縦８０００画素で構成されているものとする。この場合、位置＝"（０，０）"に対応する静止画像２０００上の画素は、位置＝"（０，０）"の画素となる。
【０１９６】
また、横サイズ（ｘ１２）に対応する静止画像２０００上の画素は、（ｘ１２／ｘ５２）×４０００により算出される画素となる。更に、縦サイズ（ｙ１２）に対応する静止画像２０００上の画素は、（ｙ１２／ｙ６２）×８０００により算出される画素となる。
【０１９７】
ステップＳ１９０６において、第１分割部１６１５は、ステップＳ１９０５において算出された画素に基づいて特定される矩形領域２００１を、静止画像２０００より切り出し、分割静止画像を生成する。
【０１９８】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。
【０１９９】
ステップＳ１９０８において、第１分割部１６１５は、窓カウンタｇをインクリメントした後、ステップＳ１９０４に戻る。これにより、ｇには"２"が代入されることになる。
【０２００】
ステップＳ１９０４において、第１分割部１６１５は、サイネージ対象情報５００より、窓ＩＤ＝"Ｗ２０２"の位置（（ｘ２１，０））、横サイズ（ｘ２２−ｘ２１）、縦サイズ（ｙ１２）を読み出す。
【０２０１】
ステップＳ１９０５において、第１分割部１６１５は、ステップＳ１９０４において読み出した位置、横サイズ、縦サイズを静止画像２０００上の画素に変換する。
【０２０２】
図２０に示すように、位置（（ｘ２１，０））に対応する静止画像２０００上の画素は、（ｘ２１／ｘ５２）×４０００により算出される画素となる。また、横サイズ（ｘ２２−ｘ２１）に対応する静止画像２０００上の画素は、（ｘ２２／ｘ５２）×４０００により算出される画素となる。更に、縦サイズ（ｙ１２）に対応する静止画像２０００上の画素は、（ｙ１２／ｙ６２）×８０００により算出される画素となる。
【０２０３】
ステップＳ１９０６において、第１分割部１６１５は、ステップＳ１９０５において算出された画素に基づいて特定される矩形領域２００２を、静止画像２０００より切り出し、分割静止画像を生成する。
【０２０４】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。以降、ステップＳ１９０６において、矩形領域２００５が切り出されるまで、ステップＳ１９０４〜Ｓ１９０６の処理が繰り返される。
【０２０５】
ステップＳ１９０７において、ｆフロアの全ての窓ガラスについて第１分割処理を行ったと判定した場合には（ステップＳ１９０７においてＹｅｓの場合には）、ステップＳ１９０９に進む。
【０２０６】
ステップＳ１９０９において、第１分割部１６１５は、全てのフロアについて第１分割処理を行ったか否かを判定する。ステップＳ１９０９において、第１分割処理を行っていないフロアがあると判定した場合には（ステップＳ１９０９においてＮｏの場合には）、ステップＳ１９１０に進む。
【０２０７】
ステップＳ１９１０において、第１分割部１６１５は、フロアカウンタｆをインクリメントした後、ステップＳ１９０３に戻る。以降、フロアカウンタｆ＝７において、矩形領域２０３０が切り出されるまで、ステップＳ１９０４〜Ｓ１９０７の処理が繰り返される。
【０２０８】
ステップＳ１９０９において、全てのフロアについて第１分割処理を行ったと判定した場合には（ステップＳ１９０９においてＹｅｓの場合には）、図１８のステップＳ１８０７に戻る。
【０２０９】
＜９．サイネージ制御処理の詳細＞
次に、画像投影システム３００におけるサイネージ制御処理（ステップＳ８０３）の詳細について説明する。
【０２１０】
（１）サイネージ制御部の機能構成
はじめに、サイネージ制御処理を実行する、情報処理装置３７０のサイネージ制御部３７３の機能構成について説明する。図２１は、情報処理装置のサイネージ制御部の機能構成を示す図である。
【０２１１】
図２１に示すようにサイネージ制御部３７３は、同期部２１０１、開始制御部２１０２、終了制御部２１０３、復旧部２１０４を有する。
【０２１２】
同期部２１０１は、時刻情報を出力する。また、同期部２１０１は、プロジェクタ３１０＿１ａ〜３１０＿３０ｂと、情報処理装置３７０との間の時刻を同期させる。具体的には、時刻サーバ３６０より時刻情報を受信し、出力する時刻情報を修正したうえで、プロジェクタ３１０＿１ａ〜３１０＿３０ｂに対して、修正した時刻情報を送信する。プロジェクタ３１０＿１ａ〜３１０＿３０ｂは、同期部２１０１より時刻情報を受信すると、内部で管理している時刻情報を修正する。これにより、同期部２１０１は、プロジェクタ３１０＿１ａ〜３１０＿３０ｂと、情報処理装置３７０との間で、正確な時刻情報に基づいて時刻を同期させることができる。
【０２１３】
開始制御部２１０２は、スケジュール情報管理部３７７に格納されたスケジュール情報を読み出し、投影開始時刻を識別する。また、開始制御部２１０２は、識別した投影開始時刻に基づいて、各サイネージ装置に対して、投影開始時の動作の指示を送信する。
【０２１４】
終了制御部２１０３は、スケジュール情報管理部３７７に格納されたスケジュール情報を読み出し、投影終了時刻を識別する。また、終了制御部２１０３は、識別した投影終了時刻に基づいて、各サイネージ装置に対して、投影終了時の動作の指示を送信する。
【０２１５】
復旧部２１０４は、監視装置３５１から監視結果（不具合が発生した監視対象、不具合の種類等）を受信した場合に、プロジェクタ３１０＿１ａ〜３１０＿３０ｂに投影終了指示を送信する。また、復旧部２１０４は、判定手段として機能し、不具合の種類が自動復旧が可能な不具合であるか否かを判定することで、窓ガラス群１２０について、投影対象としての利用を継続するか否かを判定する。
【０２１６】
更に、復旧部２１０４は、投影対象としての利用を継続すると判定した場合には、自動復旧処理を実行する。一方、投影対象としての利用を継続しないと判定した場合には、復旧部２１０４は、窓ガラス群１２０を、通常の窓ガラスとして利用すると判定する。更に、通常の窓ガラスとして利用すると判定した場合、復旧部２１０４は、窓ガラス群１２０を通常の窓ガラスとしての利用に切り替えるための切り替え処理を実行する。
【０２１７】
（２）サイネージ制御処理の流れ
次に、サイネージ制御部３７３によるサイネージ制御処理の流れについて説明する。図２２は、サイネージ制御処理の流れを示すフローチャートである。画像処理部３７２による画像処理が完了することで、図２２に示すサイネージ制御処理が実行可能となる。
【０２１８】
ステップＳ２２０１において、同期部２１０１及び開始制御部２１０２は、投影用動画像の投影を開始する開始制御処理を実行する。なお、開始制御処理（ステップＳ２２０１）の詳細は後述する。
【０２１９】
ステップＳ２２０２において、復旧部２１０４は、監視装置３５１から監視結果（不具合が発生した監視対象、不具合の種類等）を受信したか否かを判定する。ステップＳ２２０２において、監視結果を受信したと判定した場合には（ステップＳ２２０２においてＹｅｓの場合には）、ステップＳ２２０３に進む。
【０２２０】
ステップＳ２２０３において、復旧部２１０４は、プロジェクタ３１０＿１ａ〜３１０＿３０ｂに対して、投影終了指示を送信する。これにより、投影用動画像群１３０の一部が欠けた状態で、投影用動画像群１３０の投影が継続するといった事態を回避することができる。
【０２２１】
ステップＳ２２０４において、復旧部２１０４は、監視結果に含まれる不具合の種類に基づいて、自動復旧可能な不具合か否かを判定する。ステップＳ２２０４において、自動復旧可能な不具合であると判定した場合には（ステップＳ２２０４においてＹｅｓの場合には）、窓ガラス群１２０の投影対象としての利用を継続すると判定し、自動復旧処理（ステップＳ２２０５〜Ｓ２２０７）を実行する。
【０２２２】
具体的には、ステップＳ２２０５において、復旧部２１０４は、監視結果に含まれる監視対象（不具合が発生した監視対象）であるプロジェクタに対して、再起動指示を送信する。これにより、監視対象のプロジェクタは、電源が一旦ＯＦＦ状態になった後、ＯＮ状態になる。この結果、復旧部２１０４は、監視対象のプロジェクタを自動で復旧させることができる。
【０２２３】
ステップＳ２２０６において、復旧部２１０４は、監視対象のプロジェクタが正しく再起動したか否かを判定する。ステップＳ２２０６において正しく再起動したと判定した場合には（ステップＳ２２０６においてＹｅｓの場合には）、ステップＳ２２０７に進む。
【０２２４】
ステップＳ２２０７において、復旧部２１０４は、プロジェクタ３１０＿１ａ〜３１０＿３０ｂに対して、投影開始指示を送信する。これにより、投影用動画像群１３０の投影が自動で再開することとなり、自動復旧処理が完了する。
【０２２５】
一方、ステップＳ２２０４において、自動復旧可能な不具合でないと判定した場合には（ステップＳ２２０４においてＮｏの場合には）、窓ガラス群１２０の投影対象としての利用を中断し、通常の窓ガラスとしての利用に切り替えると判定する。
【０２２６】
また、ステップＳ２２０６において、正しく再起動しなかったと判定した場合には（ステップＳ２２０６においてＮｏの場合には）、窓ガラス群１２０の投影対象としての利用を中断し、通常の窓ガラスとしての利用に切り替えると判定する。
【０２２７】
通常の窓ガラスとしての利用に切り替えると判定した場合、復旧部２１０４は、切り替え処理（ステップＳ２２１０〜Ｓ２２１２）を実行する。
【０２２８】
具体的には、ステップＳ２２１０において、復旧部２１０４は、プロジェクタ３１０＿１ａ〜３１０＿３０ｂに対して、ランプＯＦＦ指示を送信する。これにより、プロジェクタ３１０＿１ａ〜３１０＿３０ｂのランプがＯＦＦ状態になる。
【０２２９】
ステップＳ２２１１において、復旧部２１０４は、電動スクリーン３３０＿１〜３３０＿３０に対して、スクリーンＯＦＦ指示を送信する。これにより、電動スクリーン３３０＿１〜３３０＿３０がＯＦＦ状態になり、光透過面が透明の状態になる。
【０２３０】
ステップＳ２２１２において、復旧部２１０４は、電飾装置１４０＿１〜１４０＿６に対して、電飾ＯＮ指示を送信する。これにより、電飾装置１４０＿１〜１４０＿６がＯＮ状態になる。この結果、投影対象として利用していた窓ガラス群１２０を、通常の窓ガラスとして利用することが可能となり、切り替え処理が終了する。
【０２３１】
ステップＳ２２１３において、復旧部２１０４は、ステップＳ２２０２において受信した監視結果を、監視サーバ３５２に通知する。これにより、監視サーバ３５２では、通知された監視結果（不具合が発生した監視対象、不具合の種類等）を、サービスマンにメール送信する。この結果、自動復旧不可の不具合については、サービスマンにより復旧作業が行われることになる。
【０２３２】
一方、ステップＳ２２０２において、監視結果を受信していないと判定した場合には、ステップＳ２２０８に進む。ステップＳ２２０８において、終了制御部２１０３は、投影終了時刻に近づいたか否かを判定する。終了制御部２１０３は、スケジュール情報７００に基づいて投影終了時刻を識別し、同期部２１０１が出力する現在時刻と対比することで、投影終了時刻に近づいたか否かを判定する。
【０２３３】
ステップＳ２２０８において投影終了時刻に近づいていないと判定した場合には（ステップＳ２２０８においてＮｏの場合には）、ステップＳ２２０２に戻る。一方、ステップＳ２２０８において投影終了時刻に近づいたと判定した場合には（ステップＳ２２０８においてＹｅｓの場合には）、ステップＳ２２０９に進む。
【０２３４】
ステップＳ２２０９において、終了制御部２１０３は、投影用動画像の投影を終了する終了制御処理を実行し、サイネージ制御処理を終了する。なお、終了制御処理（ステップＳ２２０９）の詳細は後述する。
【０２３５】
（３）開始制御処理及び終了制御処理の詳細
続いて、開始制御処理（ステップＳ２２０１）及び終了制御処理（ステップＳ２２０９）の詳細について説明する。
【０２３６】
図２３は、開始制御処理及び終了制御処理の詳細なフローチャートである。図２３（ａ）に示すように、ステップＳ２３０１において、開始制御部２１０２は、スケジュール情報管理部３７７に格納されたスケジュール情報７００を読み出す。また、開始制御部２１０２は、読み出したスケジュール情報７００に基づいて、投影開始時刻を識別する。
【０２３７】
ステップＳ２３０２において、開始制御部２１０２は、識別した投影開始時刻に応じたタイミングで、プロジェクタ３１０＿１ａ〜３１０＿３０ｂに対して、ランプＯＮ指示を送信する。これにより、プロジェクタ３１０＿１ａ〜３１０＿３０ｂそれぞれのランプがＯＮ状態になる。
【０２３８】
ステップＳ２３０３において、同期部２１０１は、時刻サーバ３６０より時刻情報を受信し、情報処理装置３７０内部で管理している時刻情報を修正するとともに、プロジェクタ３１０＿１ａ〜３１０＿３０ｂに対して、修正した時刻情報を送信する。
【０２３９】
ステップＳ２３０４において、開始制御部２１０２は、識別した投影開始時刻に応じたタイミングで、プロジェクタ３１０＿１ａ〜３１０＿３０ｂに対して、投影開始指示を送信する。これにより、プロジェクタ３１０＿１ａ〜３１０＿３０ｂそれぞれにおいて、投影用動画像の投影を開始するための処理が行われる。
【０２４０】
ステップＳ２３０５において、開始制御部２１０２は、識別した投影開始時刻に応じたタイミングで、電飾装置１４０＿１〜１４０＿６に対して、電飾ＯＦＦ指示を送信する。これにより、電飾装置１４０＿１〜１４０＿６がＯＦＦ状態となる。
【０２４１】
ステップＳ２３０６において、開始制御部２１０２は、識別した投影開始時刻に応じたタイミングで、電動スクリーン３３０＿１〜３３０＿３０に対して、スクリーンＯＮ指示を送信する。これにより、電動スクリーン３３０＿１〜３３０＿３０それぞれがＯＮ状態となり、光透過面が半透明の状態になる。
【０２４２】
以上により、同期部２１０１及び開始制御部２１０２による開始制御処理が終了し、図２２のステップＳ２２０２に戻る。
【０２４３】
続いて、終了制御処理の流れについて説明する。図２３（ｂ）に示すように、ステップＳ２３１１において、終了制御部２１０３は、識別した投影終了時刻に応じたタイミングで、プロジェクタ３１０＿１ａ〜３１０＿３０ｂに対して、投影終了指示を送信する。これにより、プロジェクタ３１０＿１ａ〜３１０＿３０ｂでは、投影用動画像の投影を終了する。
【０２４４】
ステップＳ２３１２において、終了制御部２１０３は、識別した投影終了時刻に応じたタイミングで、電動スクリーン３３０＿１〜３３０＿３０に対して、スクリーンＯＦＦ指示を送信する。これにより、電動スクリーン３３０＿１〜３３０＿３０それぞれがＯＦＦ状態となり、光透過面が透明の状態になる。
【０２４５】
ステップＳ２３１３において、終了制御部２１０３は、識別した投影開始時刻に応じたタイミングで、電飾装置１４０＿１〜１４０＿６に対して、電飾ＯＮ指示を送信する。これにより、電飾装置１４０＿１〜１４０＿６がＯＮ状態になる。
【０２４６】
ステップＳ２３１５において、終了制御部２１０３は、プロジェクタ３１０＿１ａ〜３１０＿３０ｂに対して、ランプＯＦＦ指示を送信する。これにより、プロジェクタ３１０＿１ａ〜３１０＿３０ｂそれぞれのランプがＯＦＦ状態になる。
【０２４７】
以上により、終了制御部２１０３による終了制御処理が終了し、図２２のサイネージ制御処理が終了する。
【０２４８】
（４）自動復旧処理及び切り替え処理の具体例
次に、サイネージ制御処理（図２２）における自動復旧処理及び切り替え処理の具体例について説明する。図２４は、自動復旧処理及び切り替え処理の具体例を示す図である。
【０２４９】
図２４（ａ）は、サイネージ制御処理において、開始制御処理（ステップＳ２２０１）が実行された後に、監視装置３５１より監視結果を受信した様子を示した図である。図２４（ａ）の例は、プロジェクタＩＤ＝"ＰＪ３０２Ａ"及び"ＰＪ３０２Ｂ"のプロジェクタにおいて不具合が発生した場合を示している（符号２４０１参照）。
【０２５０】
復旧部２１０４では、監視結果を受信すると、不具合の種類によらず、プロジェクタ３１０＿１ａ〜３１０＿３０ｂに対して投影終了指示を送信する。図２４（ｂ）、（ｄ）は、復旧部２１０４により、プロジェクタ３１０＿１ａ〜３１０＿３０ｂに対して投影終了指示が送信された様子を示している。
【０２５１】
ここで、復旧部２１０４では、監視結果に含まれる不具合の種類が自動復旧可能な不具合か否かを判定する。そして、自動復旧可能な不具合であると判定した場合、復旧部２１０４は、窓ガラス群１２０の投影対象としての利用を継続すると判定し、自動復旧処理を実行する。
【０２５２】
具体的には、復旧部２１０４では、プロジェクタＩＤ＝"ＰＪ３０２Ａ"及び"ＰＪ３０２Ｂ"のプロジェクタに対して再起動指示を送信し、正しく再起動したと判定した場合には、プロジェクタ３１０＿１ａ〜３１０＿３０ｂに対して投影開始指示を送信する。これにより、図２４（ｃ）に示すように、窓ガラス群１２０には、再び、投影用動画像群１３０が投影される。
【０２５３】
一方、自動復旧可能な不具合ではないと判定した場合、復旧部２１０４は、窓ガラス群１２０の投影対象としての利用を中断し、通常の窓ガラスとしての利用に切り替える切り替え処理を実行する。
【０２５４】
具体的には、復旧部２１０４では、プロジェクタ３１０＿１ａ〜３１０＿３０ｂに対してランプＯＦＦ指示を送信する。また、復旧部２１０４では、電動スクリーン３３０＿１〜３３０＿３０に対してスクリーンＯＦＦ指示を送信するとともに、電飾装置群１４０（１４０＿１〜１４０＿６）に対して電飾ＯＮ指示を送信する。これにより、図２４（ｅ）に示すように、窓ガラス群１２０は、透明な状態となり、電飾装置群１４０（１４０＿１〜１４０＿６）がＯＮ状態となる（つまり、窓ガラス群１２０が通常の窓ガラスとして利用されることになる）。
【０２５５】
＜１０．監視装置の説明＞
次に、監視装置３５１について説明する。なお、監視装置３５１のハードウェア構成は、情報処理装置３７０のハードウェア構成（図４）と概ね同じであるため、ここでは説明を省略する。以下では、監視装置３５１の機能構成と監視処理の流れについて説明する。
【０２５６】
（１）監視装置の機能構成
図２５は、監視装置の機能構成の一例を示す図である。監視装置３５１には、監視プログラムと監視結果通知プログラムとがインストールされており、当該プログラムが実行されることで、監視装置３５１は、監視部２５０１及び監視結果通知部２５０２として機能する。
【０２５７】
監視部２５０１は、プロジェクタ３１０＿１〜３１０＿３０ｂ、制御装置３４０、情報処理装置３７０の状態を所定周期で監視し、投影用動画像の投影に関わる不具合が発生した場合に、当該不具合の発生を検知する検知手段として機能する。また、監視部２５０１は、不具合の発生を検知した場合に、不具合が発生した監視対象を特定するとともに、監視対象管理部２５０３に格納されている監視対象管理情報を参照することで、不具合の種類を特定する。
【０２５８】
監視結果通知部２５０２は、監視部２５０１が不具合を検知した場合に、不具合が発生した監視対象及び不具合の種類を、監視結果として、情報処理装置３７０に通知する。また、通知した監視結果を、ログ格納部２５０４にログ情報として格納する。
【０２５９】
（２）監視対象管理情報
次に、監視対象管理部２５０３に格納された監視対象管理情報について説明する。図２６は、監視対象管理情報の一例を示す図である。図２６に示すように、監視対象管理情報２６００は、情報の項目として、"監視対象"、"不具合の内容"、"不具合の種類"、"発生タイミング"を含む。
【０２６０】
"監視対象"には、監視部２５０１が不具合の発生の有無を監視する対象となる装置が格納される。本実施形態において、監視部２５０１は、プロジェクタ３１０＿１ａ〜３１０＿３０ｂ、制御装置３４０、情報処理装置３７０を監視するため、"監視対象"には、「プロジェクタ」、「制御装置」、「プロジェクタ」のいずれかが格納される。
【０２６１】
"不具合の内容"には、監視部２５０１が検知する不具合の内容として、投影用動画像の投影に関わるすべての不具合が格納される。なお、"不具合の内容"において、「映像が更新されない」とは、プロジェクタによる投影がフリーズした状態にあることを指す。監視部２５０１では、投影用動画像のうち、プロジェクタが現在投影中のフレーム位置に関する情報を取得し、下記の式を満たす場合に、「映像が更新されない」と判定する。
現在時刻＞投影開始時刻＋取得したフレーム位置までの再生にかかる時間＋α
なお、αは例えば１分とする。
【０２６２】
"不具合の種類"には、検知した不具合の種類が格納される。本実施形態において、監視部２５０１は、検知した不具合が、自動復旧可能な不具合であるか、自動復旧不可能な不具合であるかを分類する。このため、"不具合の種類"には、「自動復旧可」または「自動復旧不可」のいずれかが格納される。
【０２６３】
"発生タイミング"には、"不具合の内容"が発生するタイミングについての情報が格納される。換言すると、監視部２５０１では、"発生タイミング"に格納されたタイミングで、監視対象について、不具合が発生したか否かの監視を行う。
【０２６４】
例えば、監視対象＝"情報処理装置"について、不具合の内容＝"ｐｉｎｇ応答なし"は、監視部２５０１により投影用動画像の投影と無関係に監視され、不具合が検知された場合には、"自動復旧不可"の不具合が発生したと判定される。
【０２６５】
また、監視対象＝"プロジェクタ"について、不具合の内容＝"ファン"は、監視部２５０１により投影用動画像の投影前または投影中に監視され、不具合が検知された場合には、"自動復旧可"の不具合が発生したと判定される。
【０２６６】
（３）監視処理の流れ
次に、監視装置３５１による監視処理の流れについて説明する。図２７は、監視処理の流れを示すフローチャートである。
【０２６７】
ステップＳ２７０１において、監視部２５０１は、監視対象管理情報２６００の"不具合の内容"に格納された不具合のうちのいずれかの不具合を監視するタイミングに到達したか否かを判定する。ステップＳ２７０１において、いずれかの不具合を監視するタイミングに到達していないと判定した場合には（ステップＳ２７０１においてＮｏの場合には）、監視するタイミングに到達したと判定するまで待機する。
【０２６８】
一方、ステップＳ２７０１において、監視するタイミングに到達したと判定した場合には（ステップＳ２７０１においてＹｅｓの場合には）、ステップＳ２７０２に進む。ステップＳ２７０２において、監視部２５０１は、監視するタイミングに到達した"不具合の内容"について、不具合が発生したか否かを判定する。ステップＳ２７０１において、不具合が検知されなかった場合には、不具合が発生していないと判定し（ステップＳ２７０１においてＮｏ）、ステップＳ２７０７に進む。
【０２６９】
一方、ステップＳ２７０２において、不具合が検知された場合には、不具合が発生したと判定し（ステップＳ２７０２においてＹｅｓ）、ステップＳ２７０３に進む。ステップＳ２７０３において、監視部２５０１は、不具合が発生した監視対象を特定する。
【０２７０】
ステップＳ２７０４において、監視部２５０１は、監視対象管理情報２６００に基づいて、不具合の種類を判定する。
【０２７１】
ステップＳ２７０５において、監視結果通知部２５０２は、ステップＳ２７０３において特定した監視対象と、ステップＳ２７０４において判定した不具合の種類とを含む監視結果を、情報処理装置３７０に通知する。
【０２７２】
ステップＳ２７０６において、監視結果通知部２５０２は、監視結果をログ格納部２５０４に時刻情報と対応付けて記録する。
【０２７３】
ステップＳ２７０７において、監視部２５０１は、監視処理を終了するか否かを判定する。ステップＳ２７０７において監視処理を終了しないと判定した場合には（ステップＳ２７０７においてＮｏの場合には）、ステップＳ２７０１に戻る。一方、ステップＳ２７０７において、監視処理を終了すると判定した場合には（ステップＳ２７０７においてＹｅｓの場合には）、監視処理を終了する。
【０２７４】
＜１１．まとめ＞
以上の説明から明らかなように、本実施形態に係る画像投影システム３００では、
・広告主より提供される動画像を反転処理する。また、建物の外面の所定領域に含まれる複数の窓ガラスの位置及び大きさに基づいて、該反転処理した動画像より抽出される各フレームの静止画像を分割し、それぞれの静止画像から複数の分割静止画像を生成する。
・同じ窓ガラスに対応する各フレームの分割静止画像を用いて、窓ガラス数分の分割静止画像群を生成し、画像情報管理部に格納する。
・建物の外面の所定領域に含まれる複数の窓ガラスそれぞれに対応する位置に配置されたプロジェクタについて校正処理を行い、校正処理の結果に基づいて生成した補正パラメータを用いて、分割静止画像群を補正する。
・補正した分割静止画像群を、更に、１つの窓ガラスに対応する位置に配置されたプロジェクタの数に応じて分割し、エンコード処理することで、プロジェクタ単位の投影用動画像群を生成する。
・生成した投影用動画像群の各投影用動画像を、対応するプロジェクタを介して、複数の窓ガラスに対応する電動スクリーンそれぞれに投影する。
【０２７５】
これにより、複数の面を組み合わせたデジタルサイネージを実現することが可能になる。
【０２７６】
また、本実施形態に係る画像投影システム３００では、
・監視対象についての不具合の発生を検知し、自動復旧可能な不具合か、自動復旧不可能な不具合かを判定する。
・自動復旧可能な不具合であると判定した場合には、投影対象として利用している窓ガラスについて、投影対象としての利用を継続すると判定する。また、自動復旧不可能な不具合であると判定した場合には、投影対象として利用している窓ガラスについて、投影対象としての利用を継続しないと判定し、通常の窓ガラスとして利用できるよう切り替え処理を行う。
【０２７７】
これにより、複数の面を組み合わせたデジタルサイネージにおいて、複数の面を効率的に利用できるようになる。
【０２７８】
［その他の実施形態］
上記第１の実施形態では、監視装置３５１において、不具合の種類を判定する構成としたが、監視装置３５１は、情報処理装置３７０に対して不具合の内容を通知し、情報処理装置３７０において不具合の種類を判定する構成としてもよい。
【０２７９】
また、上記第１の実施形態では、プロジェクタの不具合を、監視装置３５１が検知して、情報処理装置３７０に通知し、更に、情報処理装置３７０が監視結果を監視サーバ３５２に通知する構成とした。しかしながら、通知順序はこれに限定されず、プロジェクタの不具合を、情報処理装置３７０が検知して、監視装置３５１に通知し、更に、監視装置３５１が監視結果を監視サーバ３５２に通知する構成としてもよい。
【０２８０】
また、上記第１の実施形態では、電動スクリーン及び電飾装置の不具合について特に言及しなかったが、電動スクリーン及び電飾装置の不具合の通知順序も任意である。例えば、電動スクリーン及び電飾装置から、直接、監視装置３５１に通知し、更に、監視装置３５１が監視結果を監視サーバ３５２に通知するように構成してもよい。あるいは、電動スクリーン及び電飾装置から、制御装置３４０を介して監視装置３５１に通知し、更に監視装置３５１が監視結果を監視サーバ３５２に通知するように構成してもよい。
【０２８１】
また、上記第１の実施形態では、情報処理装置３７０とは別体に監視装置３５１を設ける構成としたが、監視装置３５１の一部または全部の機能は、情報処理装置３７０にて実現してもよい。あるいは、反対に、情報処理装置３７０の復旧部２１０４の機能の一部は、監視装置３５１にて実現してもよい。
【０２８２】
また、上記第１の実施形態では、切り替え処理において、ランプＯＦＦ指示、スクリーンＯＦＦ指示、電飾ＯＮ指示の順に、各指示を送信する構成としたが、送信順序はこれに限定されない。
【０２８３】
また、上記第１の実施形態では、自動復旧処理において、投影を再開する際の開始位置について特に言及しなかったが、開始位置は任意の位置が可能である。例えば、投影用動画像の１フレーム目から投影を再開してもよいし、投影終了指示を送信した際に投影していたフレームの次のフレームから投影を再開してもよい。
【０２８４】
また、上記第１の実施形態では、情報処理装置３７０が、校正部３７１、画像処理部３７２、サイネージ制御部３７３を有するものとして説明したが、これらの機能の一部は、他のサイネージ装置において実現してもよい。
【０２８５】
また、上記第１の実施形態では、建物１１０に１つの所定領域を規定し、１種類のデジタルサイネージを実現する場合について説明した。しかしながら、建物１１０の窓ガラス群１２０を２つの所定領域に分け、２種類のデジタルサイネージを実現するように構成してもよい。この場合、監視対象の不具合を検知すると、不具合が検知されたサイネージ装置がいずれの所定領域に属するかを判定し、不具合が検知されたサイネージ装置が属する所定領域に含まれる各サイネージ装置について、自動復旧処理または切り替え処理を実行する。これにより、不具合が発生していない所定領域については、デジタルサイネージを継続することが可能となる。
【０２８６】
また、上記第１の実施形態では、建物１１０の外面の所定領域に取り付けられた窓ガラスを投影対象として説明したが、投影対象は、窓ガラスに限定されず、他の複数の面であってもよい。また、複数の面は、建物１１０の外面の所定領域に取り付けられたものに限定されず、建物１１０内部の所定領域に取り付けられた複数の面であってもよいし、また、建物以外の物に取り付けられた複数の面であってもよい。
【０２８７】
また、上記第１の実施形態では、サイネージ装置が、プロジェクタ（投影装置）、電動スクリーン、電飾装置を指すものとして説明したが、サイネージ装置はこれに限定されない。例えば、建物１１０の内部の照明装置や、建物１１０の外部から建物１１０の壁面や看板等を照らす照明装置、建物１１０に設置されたオブジェ、看板等の、既に建物１１０に設置されている装置が、サイネージ装置に含まれていてもよい。
【０２８８】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２８９】
１１０                            ：建物
１２０                            ：窓ガラス群
１３０                            ：投影用動画像群
３１０＿１ａ〜３１０＿３０ｂ      ：プロジェクタ
３２０＿１ａ〜３２０＿３０ｂ      ：外部メモリ
３３０＿１〜３３０＿３０          ：電動スクリーン
３４０                            ：制御装置
３６０                            ：時刻サーバ
３７０                            ：情報処理装置
３７１                            ：校正部
３７２                            ：画像処理部
３７３                            ：サイネージ制御部
３７５                            ：サイネージ対象情報管理部
３７６                            ：画像情報管理部
３７７                            ：スケジュール情報管理部
５００                            ：サイネージ対象情報
５１０                            ：所定領域
６００                            ：画像情報
７００                            ：スケジュール情報
２１０１                          ：同期部
２１０２                          ：開始制御部
２１０３                          ：終了制御部
２１０４                          ：復旧部
２５０１                          ：監視部
２５０２                          ：監視結果通知部
２５０３                          ：監視対象管理部
２５０４                          ：ログ格納部
２６００                          ：監視対象管理情報
【先行技術文献】
【特許文献】
【０２９０】
【特許文献１】特開２０１１−１３５４７７号公報
【図１】
2018037836.tif 000003
【図２】
2018037836.tif 000004
【図３】
2018037836.tif 000005
【図４】
2018037836.tif 000006
【図５】
2018037836.tif 000007
【図６】
2018037836.tif 000008
【図７】
2018037836.tif 000009
【図８】
2018037836.tif 000010
【図９】
2018037836.tif 000011
【図１０】
2018037836.tif 000012
【図１１】
2018037836.tif 000013
【図１２】
2018037836.tif 000014
【図１３】
2018037836.tif 000015
【図１４】
2018037836.tif 000016
【図１５】
2018037836.tif 000017
【図１６】
2018037836.tif 000018
【図１７】
2018037836.tif 000019
【図１８】
2018037836.tif 000020
【図１９】
2018037836.tif 000021
【図２０】
2018037836.tif 000022
【図２１】
2018037836.tif 000023
【図２２】
2018037836.tif 000024
【図２３】
2018037836.tif 000025
【図２４】
2018037836.tif 000026
【図２５】
2018037836.tif 000027
【図２６】
2018037836.tif 000028
【図２７】
2018037836.tif 000029